(57)【要約】【課題】  ロール製品を確実に固定して輸送コンテナの安定した段積みを可能にし、さらに、空になった輸送コンテナの省スペース化を図るロール製品搬送用輸送形態を提供する。【解決手段】  輸送コンテナ１０の角部に設けた着脱可能な支柱１，…と、前記支柱１，…に隣接させて設けた折り畳み可能な補助支柱４，…と、該支柱１，…の下面角部に設けられ、前記支柱１，…及び補助支柱４，…の頭部を受け入れる凹みを有する支柱脚部３，…とを備え、ロール製品２０と輸送コンテナ１０とをストレッチ包装した後に、前記支柱１，…を立てるようにした。【選択図】    図２
2006001593.tif 000002
【特許請求の範囲】
【請求項１】
輸送コンテナに複数のロール製品を載せ、前記輸送コンテナに立設された支柱を介して、複数の輸送コンテナを段積みして搬送するロール製品搬送用輸送形態において、
前記支柱が着脱可能になっており、
前記ロール製品と輸送コンテナとをストレッチ包装した後に、前記支柱を立てることを特徴とするロール製品搬送用輸送形態。
【請求項２】
前記輸送コンテナは、前記支柱を収納する凹部を有することを特徴とする請求項１記載のロール製品搬送用輸送形態。
【請求項３】
前記輸送コンテナは、下面角部に支柱脚部を備え、該支柱脚部は、底面に前記支柱の頭部を受け入れるための凹みを有することを特徴とする請求項１又は２に記載のロール製品搬送用輸送形態。
【請求項４】
折り畳み可能に前記支柱に隣接させて設けられ、該支柱の全長よりも短い補助支柱を備えると共に、前記支柱脚部の凹みは、前記補助支柱の頭部も受け入れ可能な大きさに形成されてなることを特徴とする請求項３に記載のロール製品搬送用輸送形態。
【発明の詳細な説明】
【技術分野】
【０００１】
本発明は、ロール製品搬送用輸送形態に関し、特に、ロール製品を輸送コンテナに載せて特定のユーザに出荷後、空になった輸送コンテナを出荷元に返送するロール製品搬送用輸送形態に関する。
【背景技術】
【０００２】
プラスチックフィルムやラミネートフィルムなどのロール製品を特定のユーザに納めるために、専用の輸送コンテナに複数のロール製品を載せ、これらロール製品をまとめたり、荷崩れを防ぐために、周囲をポリエチレンなどのストレッチフィルムで巻いて固定している。このようなストレッチフィルムを巻き付けたストレッチ包装は、フィルム自体が伸縮性を有し、さらに自己粘着性を有するものもあり、そのような場合、フィルム同士が密着してタイトになり、ロール製品と輸送コンテナとを一体的に包装することができる。
【０００３】
そして、ストレッチ包装されたロール製品を出荷後、ユーザの元でフィルムが剥されてロール製品が取り出される。次に、ユーザによって、空になった輸送コンテナが、出荷元に返送される。このような輸送形態が特定のユーザとの間で頻繁に行われている。
【発明の開示】
【発明が解決しようとする課題】
【０００４】
しかしながら、上記従来の輸送形態によれば、輸送コンテナの角部に段積み用の支柱が立てられているため、ロール製品を輸送コンテナに載せた時、支柱ごとストレッチ包装しなければならない。このとき、支柱とロール製品との間には隙間があるため、支柱が包装の妨げとなり、ロール製品を輸送コンテナ上に確実に固定することができないという問題がある。そこで、ロール製品を確実に固定するためには、フィルムを斜めに巻いたり、いろんな方向に巻かなければならず、多量のフィルムが必要になる。さらに、支柱及びロール製品が確実に固定されていない状態で輸送コンテナを段積みすると、安定性よく段積みできないという問題がある。
【０００５】
さらに別の問題として、段積み用の支柱が輸送コンテナに固定されていると、ユーザがロール製品を受け取った後、輸送コンテナが空であるにもかかわらず、支柱が邪魔になり、広い収容スペースが必要になるという問題もある。
【０００６】
本発明は、上記問題を鑑みてなされたもので、ロール製品を確実に固定して輸送コンテナの安定した段積みを可能にし、さらに、空になった輸送コンテナの省スペース化を図るロール製品搬送用輸送形態を提供することを課題とする。
【課題を解決するための手段】
【０００７】
そこで、本発明に係るロール製品搬送用輸送形態は、輸送コンテナに複数のロール製品を載せ、前記輸送コンテナに立設された支柱を介して、複数の輸送コンテナを段積みして搬送するロール製品搬送用輸送形態において、前記支柱が着脱可能になっており、前記ロール製品と輸送コンテナとをストレッチ包装した後に、前記支柱を立てるようにしたことを特徴とする。
【０００８】
上記構成からなる輸送形態によれば、まず支柱を取り外した状態で、ロール製品を輸送コンテナに載せてストレッチフィルムで全体的にストレッチ包装する。このとき、支柱を突き刺す凹み部分の上面にもストレッチ包装する。次に、前記凹みに覆われたストレッチフィルムを突き破って支柱を差し込み、支柱を立てる。これにより、輸送コンテナの段積みが可能となる。
【０００９】
前記輸送コンテナは、前記支柱を収納する凹部を有するようにしてもよい。これにより、ロール製品を積まないときは、支柱を凹部に収納することができ、空になったの輸送コンテナの省スペース化を図ることができる。
【００１０】
また、前記輸送コンテナは、下面角部に支柱脚部を備え、該支柱脚部は、底面に前記支柱の頭部を受け入れるための凹みを有するようにしてもよい。これにより、輸送コンテナを段積みする際に、前記凹みが支柱を嵌め込んだときの位置決めを行うので、輸送コンテナの位置ずれを起こすことなく安定して段積みを行うことができる。
【００１１】
また、折り畳み可能に前記支柱に隣接させて設けられ、該支柱の全長よりも短い補助支柱を備えると共に、前記支柱脚部の凹みは、前記補助支柱の頭部も受け入れ可能な大きさに形成されてなるようにしてもよい。
【００１２】
これにより、前記凹みは補助支柱も受け入れ可能な大きさに形成されているので、ロール製品を積んでいないときに、収容効率を高めて輸送コストを削減し、しかも、輸送中の位置ずれをなくすことができる。
【発明の効果】
【００１３】
即ち、本発明に係るロール製品搬送用輸送形態は、着脱可能な支柱を備え、ロール製品を輸送コンテナに載置して、ストレッチ包装後に支柱を立てるようにしたので、ロール製品と輸送コンテナとを確実に固定することができる。
【発明を実施するための最良の形態】
【００１４】
以下、本発明の一実施形態について図面を参酌しつつ説明する。図１は、本発明の実施形態に係る輸送コンテナの斜視図である。
【００１５】
図１より、輸送コンテナ１０は、平面視方形状の基台６と、該基台６の角部に上下方向に延びるように設けられた支柱受部２，…と、該支柱受部２，…の上端に着脱可能になっている角柱からなる支柱１と、前記支柱受部２，…の下端に設けられた支柱脚部３，…と、前記支柱受部２，…に隣接して設けられた補助支柱受部５，…と、該補助支柱受部５，…に回動可能に差し込まれ、支柱１，…の全長よりも短い補助支柱４，…とを備えている。
【００１６】
さらに、詳しく説明すると、基台６は、支柱受部２，…を設けた外周部分を残して内面に凹みを有する。そして、この凹みの中央部分を残して、両側にロール製品を載置するパレット７，７が配設されている。基台６の中央部分の凹みは、取り外した支柱１，…を収納するための支柱収納部８になる。そして、支柱収納部８には、収納した支柱１，…の長手方向の動きを規制する支柱固定部９，９を備えている。また、支柱脚部３，…は、支柱受部２，…の下面から基台６と平行に、補助支柱受部５，…の底面を覆うように延びている。そして、支柱脚部３，…は、複数の輸送コンテナ１０を段積みするときに、支柱１，…又は補助支柱４，…の頭部を受け入れ可能に凹み（図示せず）を有している。
【００１７】
上記構成からなる輸送形態について、輸送コンテナにロール製品を載置して搬送するときの動作について説明する。
【００１８】
図１を参照すると、パレット７，７は、上面がロール製品の円周に合わせた形に凹んでおり、各パレット７にロール製品を２個載置することができる。まず、支柱１，…を取り外し、パレット７，７にロール製品を載置する。そして、ロール製品と輸送コンテナ１０とを一体的に包装するために、周囲をストレッチフィルムを伸ばしながら複数回巻き付ける。
【００１９】
ここで、ストレッチフィルムは、エチレン酢酸ビニル共重合体などのポリエチレン系樹脂やポリ塩化ビニル、ポリブタジエンなどからなる柔軟性を有する弾性伸縮性に優れ、片面又は両面に粘着性を有するフィルムであるため、複数回（多重に）巻き付けることで、その締め付け力と粘着性により強固に包装することができる。
【００２０】
図２に、ロール製品を載置してストレッチ包装された輸送コンテナの斜視図を示す。図２に示すように、ロール製品２０，…と輸送コンテナ１０とをストレッチフィルム３０で一体的に包装後、支柱１，…を支柱受部２，…の上面に覆われているストレッチフィルム３０上から突き刺して支柱受部２に差し込む。このとき、ストレッチフィルムは薄肉で柔軟であるため、複数枚が重なっていても突き刺しできる。
【００２１】
上記構成により、従来、支柱を設けたままストレッチ包装するよりも、支柱がないため包装が容易になり、ロール製品のような曲面部を有する物品を直接締め付けて包装でき、かつ少ないフィルム量で包装することができる。また、ロール製品２０及び輸送コンテナ１０を包むストレッチフィルム３０には、粘着性があるため、支柱１を立てる際に穴が開いても、締め付けが弱くならずロール製品２０及び輸送コンテナ１０の固定状態が維持される。さらに、支柱受部２の付近において支柱の周囲がストレッチフィルムにより保持されるため、支柱のぐらつきを止める効果もある。
【００２２】
なお、上記実施形態では、支柱受部２と支柱脚部３とを別々に説明したが、これらは別体であっても一体的に形成されていても構わない。また、上記輸送コンテナ１０には、ロール製品を４個まで積めるようになっているが、これは例示であって、積載するロール製品の数は任意に設定することができる。また、支柱収納部８は、基台６の中央部分の凹みに設けるようにしたが、基台６の外周部分に凹みを形成して設けるようにしてもよい。また、本発明のストレッチフィルムは、伸縮性及び自己粘着性を有するものに限られず、自己粘着性を有さないものも含まれる。
【００２３】
次に、ストレッチ包装された輸送コンテナを段積みする動作について説明する。図３は、図２の輸送コンテナを二段に積んだ状態を表す斜視図である。
【００２４】
図３より、二段目の輸送コンテナ１０ｂの支柱脚部３，…の底面に形成された凹みに、一段目の輸送コンテナ１０ａの各支柱１，…の頭部を嵌め込む。これにより、ストレッチ包装された輸送コンテナ１０ａ，１０ｂを段積みする際に、前記凹みが支柱１の位置決めを行い、段積みの横ずれを防止する。すなわち、ロール製品２０，…を確実に固定したまま安定性よく段積みを行うことができる。
【００２５】
なお、段積みした際に、上段の輸送コンテナ１０ｂの支柱１，…は取り外したままでもよいが、支柱１，…を取り付けることにより、輸送の際にロール製品２０，…を外部の衝撃から保護する役割を有することができる。また、図３では、例示として、二段に積み上げた輸送コンテナを示したが、三段以上に積み上げた場合でも、同様の効果を有することができる。
【００２６】
次に、ロール製品を搬送後の輸送コンテナの取り扱いの動作について説明する。図４は、ロール製品を取り出し後の輸送コンテナの斜視図である。
【００２７】
図４より、補助支柱受部５は、支柱受部２と背中合わせに接している面と、当該面の両端から垂直方向に延びる対向する面とで構成されており、さらに、前記対向する面には、上端に凹状に形成された差し込み部５ａ，５ａを有する。一方、補助支柱４は、角柱の形状を有し、補助支柱受部５に内接され、かつ、回動自在に支持されている。通常、補助支柱４が使用されるまでは、基台６上に倒した状態で配置している。そして、補助支柱４の対向する面には、差し込み部５ａ，５ａに嵌合する差し込み用突起４ａ，４ａが形成されている。
【００２８】
上記構成からなる輸送コンテナ１０によれば、まず、支柱受部２，…から取り外した支柱１，…を支柱収納部８（図１参照）に収納する。このとき、支柱１，…の上下端は、発泡材などで形成された支柱固定部９，９により長手方向の動きが規制されているので、輸送中に支柱１，…が散乱しないように固定することができる。次いで、基台６上に倒した状態で配置している補助支柱４，…を立てて、補助支柱受部５，…の差し込み部５ａ，…に、差し込み用突起４ａ，…を嵌合させる。
【００２９】
図５に、補助支柱４及び補助支柱受部５の正面図を示し、補助支柱受部５に補助支柱４を嵌合させる動作についてさらに詳しく説明する。
【００３０】
図５より、補助支柱４は、下端の一端寄り長手方向に長孔１２が貫通されている。長孔１２には、ピン１１が挿通されており、その両端が補助支柱受部５の内面に固定されている。つまり、補助支柱４は、ピン１１を支点として回動自在であると共に、長孔１２の長さ方向に移動可能である。
【００３１】
上記構成からなる補助支柱４は、基台６側に倒れている状態から引き出して、支柱受部２の方向に回動させる。次いで、補助支柱４を補助支柱受部５の上面まで移動させると、補助支柱４を下方へ降ろして、差し込み部５ａに差し込み用突起４ａを嵌める。
【００３２】
なお、上述した補助支柱４と補助支柱受部５との構成は一例であって、ストレッチ包装時やロール製品の積み下ろしの邪魔にならなければ、補助支柱４をどのように取り付けても構わない。例えば、上記構成以外にも、支柱１，…のように着脱式であってもよく、あるいは、支柱１と補助支柱４とを差し替えて使用できるようにしても構わない。
【００３３】
次に、空になった輸送コンテナを段積みする動作について説明する。図６は、図４の輸送コンテナを二段に積んだ状態を表す斜視図である。
【００３４】
図６より、二段目の輸送コンテナ１０ｂの支柱脚部３，…の底面に形成された凹みに、一段目の輸送コンテナ１０ａの補助支柱４，…の頭部を嵌め込む。これにより、空になった輸送コンテナ１０は、支柱１，…を取り外した後に、補助支柱４，…を立てて段積みするようにしたので、支柱１，…を立てた場合よりも、輸送コンテナ１０の全高が半分以下になり、収容効率を高めて輸送コストを削減することができる。また、前記凹みが支柱１の位置決めを行い、段積みの横ずれを防止し、輸送中の位置ずれをなくすことができる。
【００３５】
また、補助支柱４，…を使用しないときは基台６上に折り畳むことができるので、ロール製品の積み込み時、ストレッチ包装時又はロール製品を積み卸し時に、作業の邪魔になることなく収納できる。
【図面の簡単な説明】
【００３６】
【図１】本発明の実施形態に係る輸送コンテナの斜視図を示す。
【図２】同実施形態に係るロール製品を載置してストレッチ包装された輸送コンテナの斜視図を示す。
【図３】図２の輸送コンテナを二段に積んだ状態を表す斜視図を示す。
【図４】ロール製品を取り出し後の輸送コンテナの状態を表す斜視図を示す。
【図５】同実施形態に係る補助支柱及び補助支柱受部の正面図を示す。
【図６】図４の輸送コンテナを二段に積んだ状態を表す斜視図を示す。
【符号の説明】
【００３７】
１…支柱
２…支柱受部
３…支柱脚部
４…補助支柱
５…補助支柱受部
８…支柱収納部（凹部）
１０…輸送コンテナ
２０…ロール製品
３０…ストレッチフィルム
【図１】
2006001593.tif 000003
【図２】
2006001593.tif 000004
【図３】
2006001593.tif 000005
【図４】
2006001593.tif 000006
【図５】
2006001593.tif 000007
【図６】
2006001593.tif 000008